(57)【特許請求の範囲】
【請求項１】
シート材の長方形の本体部を横断する折り目線を設け、該折り目線で２つ折りして、上端で連続する表面台と背面台とに分けると共に、背面台側の左側辺および／あるいは右側辺より、表面台と背面台に挟まれる内側へ折り返される係止片を設けており、
上記表面台が上着の中を挿入或いは表面台の外面に上着が配置されて、上着が表面台に被せられた状態にされると共に、上記表面台の下端より垂下する上着の下部が表面台と背面台の間に折り畳まれた状態で収容され、該折畳部の上着の下端部が上記係止片により係止された状態で下向きに折り返されていることを特徴とする上着用陳列台紙。
【請求項２】
シート材の長方形の本体部を横断する折り目線を設け、該折り目線の左右両端部には肩部保持用の切込部を設けていると共に、折り目線の中央にフック材取付用のスリットを設け、上記折り目線で２つ折りして、上端で連続する表面台と背面台とに分けると共に、背面台側の左側辺および／あるいは右側辺より、表面台と背面台に挟まれる内側へ折り返される係止片を設けており、
上記表面台に上着の内部に挿入されて被せられた状態とされ、該上着の左右肩部は上端に位置する上記左右切込部で保持され、上記表面台の下端より垂下する上着の下部が表面台と背面台の間に折り畳まれた状態で収容され、該折畳部の上着の下端部が上記係止片により係止された状態で下向きに折り返されていることを特徴とする上着用陳列台紙。
【請求項３】
上記折り目線近傍の背面台の中央に、切り込みを入れて折り返される引掛片を設け、
上記表面台の外面に配置される上着に対して、該上着の襟に上記引掛片が差し込まれ、あるいは、該引掛片が表面台側へ折り返されて上着の後身頃首回りに縫着されている商品表示布に引っ掛けられて、表面台に上着が保持される構成としている請求項１に記載の上着用陳列台紙。
【請求項４】
上記背面台の下部の右側辺あるいは左側辺のいずれか一方より折り曲げられる長尺な上着押さえ片を突設する一方、右側辺あるいは左側辺のいずれか他方の近傍に上記上着押さえ片を挿入する係止用スリットを設け、
上記上着押さえ片を表面台に被せた上着の表面側を押さえるように他端側に架け渡した後に先端が折り曲げられて上記係止用スリットに挿係止される構成としている請求校１乃至請求項３のいずれか１項に記載の上着用陳列台紙。
【請求項５】
上記背面台の下端より上着押さえ片を突設し、該上着押さえ片は背面台の左右両端より突出させる一方、表面台の下端の左右両側に係止用スリットを設け、
上記上着押さえ片は表面台に被せた上着の表面側を押さえるように上記上着押さえ片を表面台の下端側へと折り返され、かつ、該上着押さえ片の左右両側が背面台側へと折り返されて上記係止用スリットに挿入係止される構成としている請求項１乃至請求項３のいずれか１項に記載の上着用陳列台紙。
【請求項６】
上記背面台に設ける上記係止片は、上記折り目線の上端位置から突設し、かつ、
左右いずれか一片から突出させた長さ或いは左右両辺から突設させた長さの合計が、背面台の幅と相当し、背面台を横断するように設けている請求項１乃至請求項６のいずれか１項に記載の上着用陳列台紙。
【請求項７】
上記シート材は厚紙あるいは薄肉の樹脂板からなる請求項１乃至請求項６のいずれか１項に記載の上着用陳列台紙。
【発明の詳細な説明】
【０００１】
【発明の属する技術分野】
本発明は、上着用陳列台紙に関し、詳しくは、上着を吊り下た状態あるいは陳列台に立て置きして陳列する際に生じる、上着の下部がずれたり、ずり落ちたりして生じる乱れを防止するものである。
【０００２】
【従来の技術】
従来、汎用されている上着用陳列台紙は、図１２（Ａ）に示すように、長方形のシート材１を横断する折り目線Ｓを設け、該折り目線Ｓの左右両端部には肩部保持用の切込部１ａを設けていると共に、折り目線Ｓの中央にフック材取付用のスリット１ｂを設け、上記折り目線Ｓで２つ折りして、上端で連続する表面台１ｃと背面台１ｄとで形成されている。
また、上記背面台１ｄの下部の右側辺あるいは左側辺のいずれか一方より折り曲げられる長尺な上着押さえ片１ｅを突設する一方、右側辺あるいは左側辺のいずれか他方の近傍に上記上着押さえ片１ｅを挿入する係止用スリット１ｆを設けている。
【０００３】
上着２を上着用陳列台紙１に装着させる時には、表面台１ｃを上着２の中に挿入して被せ、該上着の左右肩部２ａを上端に位置する左右切込部１ａに挿入して保持させ、表面台１ｃの下端より垂下する上着の下部を裏面側で上端側へと上向きに折り畳んだ後に下向きに折り畳んでいる。
ついで、上着押さえ片１ｅを表面台１ｃに被せた上着の表面側を押さえるように他端側に架け渡した後に先端を折り曲げて係止用スリット１ｆに挿入して表面台１ｃと背面台１ｄの間で上着２の下部を押さえている。
【０００４】
また、この種の陳列台紙として、特開平１０−２９５５０６において、図１３に示すごとき、ワイシャツ５が台紙本体７に畳み付けられて、折り込まれた裾を別体のクリップで枠体９に固定された状態で、台紙に設けられた吊り下げ用フック６により吊り下げて陳列できるようにしたシャツ台紙が提案されている。
【０００５】
【発明が解決しようとする課題】
前記の図１２に示す従来の上着用陳列台紙１では、上着２の下部を折り畳んで表面台１ｃと背面台１ｄの間に挟んで上着押さえ片１ｅで押さえているだけとなっている。そのため、上端のスリット１ｂにフックを取り付けて吊り下げると、図１２（Ｂ）のように、上着２の折り畳んだ下部が、重力により次第に下方にずり下がってくると共に、ユーザーが触ったり揺らしたりするとずれ落ちたりするという問題があった。
このため、台紙１に取り付けた状態で更に透明な包装袋に入れて陳列せざるを得ないが、この包装袋にいれた状態でも包装袋内で折り畳んだ下部がずり落ちて包装袋の下部が膨らむ状態となる。
このように、折り畳んだ部分がずり落ちてくると、商品として見苦しくなるため、その度に、上着を畳み直さなければならならず、非常に煩わしい作業になる。
【０００６】
また、図１３に示すシャツ台紙では、折り畳んだ状態でシャツを保持するために、別体のクリップで留めなければならない。そのため、クリップによる留め作業が増えると共に、シャツの厚み等にあわせてクリップの種類をかえる必要があり、部品点数が増加して、コストもかかるという問題がある。
【０００７】
本発明は上記問題に鑑みてなされたもので、上着を吊り下げて陳列する場合において、別部材を用いることなく、上着の折り畳み部のずり落ちを防止することができる陳列用台紙を提供することを課題としている。
【０００８】
【課題を解決するための手段】
上記課題を解決するため、本発明は、シート材の長方形の本体部を横断する折り目線を設け、該折り目線で２つ折りして、上端で連続する表面台と背面台とに分けると共に、背面台側の左側辺および／あるいは右側辺より、表面台と背面台に挟まれる内側へ折り返される係止片を設けており、
上記表面台が上着の中を挿入或いは表面台の外面に上着が配置されて、上着が表面台に被せられた状態にされると共に、上記表面台の下端より垂下する上着の下部が表面台と背面台の間に折り畳まれた状態で収容され、該折畳部の上着の下端部が上記係止片により係止された状態で下向きに折り返されていることを特徴とする上着用陳列台紙を提供している。
【０００９】
上記のように、背面台側の左側辺および／あるいは右側辺より、表面台と背面台の間の内側へ折り返される係止片を突設させることにより、上着を上着用陳列台紙の表面台に被せて、該表面台から垂下する下部を表面台と背面台の間に折り返して収容する時、この収容部分の下向き折返ラインを上記係止片の上端で係止させることができるので、上着の折畳部がずり下がるのを防止することができる。  上記構成とすると、表面台を上着内部に挿入するタイプと表面台に上着を配置するタイプのいずれのタイプにおいても、表面台と背面台の間に上向きに折り畳まれ、さらに、下向きに折り返す部分を係止片により係止するため、表面台と背面台の間に収容した部分のずり下がりを防止できる。
【００１０】
表面台を上着の中に差し込むタイプの上着用陳列台紙では、シート材の長方形の本体部を横断する折り目線を設け、該折り目線の左右両端部には肩部保持用の切込部を設けていると共に、折り目線の中央にフック材取付用のスリットを設け、上記折り目線で２つ折りして、上端で連続する表面台と背面台とに分けると共に、背面台側の左側辺および／あるいは右側辺より、表面台と背面台に挟まれる内側へ折り返される係止片を設けており、
上記表面台に上着の内部に挿入されて被せられた状態とされ、該上着の左右肩部は上端に位置する上記左右切込部で保持され、上記表面台の下端より垂下する上着の下部が表面台と背面台の間に折り畳まれた状態で収容され、該折畳部の上着の下端部が上記係止片により係止された状態で下向きに折り返されている。
【００１１】
上記折り目線の左右両端部に設ける肩部保持用の切込部はスリット状の切り込みでもよいし、 凹状に窪ませた形状としてもよい。
また、上記切込部の内端の間に上記のように折り目線を入れていると共に、これら左右の切込部の内端より表面台側に中央側に向かって傾斜する差込スリットを設けておくと、肩部の保持をより確実に行うことができる。
【００１２】
表面台を上着の中に挿入せず、表面台の外面上に上着の上部を載せるタイプでは、肩部保持用の切込部を設ける必要はなく、その代わりに、表面台上に上着を保持するために、折り目線近傍の背面台の中央に、切り込みを入れて折り返される引掛片を設けている。
この引掛片は表面台上に載せられる上着に対して、衿のあるワイシャツ等の上着では、衿の裏面側に引掛片を差し込んで係止している。また、衿のないＴシャツや肌着からなる上着では、引掛片を表面台側へ折り返して上着の後身頃首回りに縫着されている商品表示布（所謂ラベル）に引っ掛けて係止し、表面台に上着を保持される構成としている。
【００１３】
上記上着用陳列台紙において、背面台の下部の右側辺あるいは左側辺のいずれか一方より折り曲げられる長尺な上着押さえ片を突設する一方、右側辺あるいは左側辺のいずれか他方の近傍に上記上着押さえ片を挿入する係止用スリットを設け、
上記上着押さえ片を表面台に被せた上着の表面側を押さえるように他端側に架け渡した後に先端を折り曲げて上記係止用スリットに挿入する構成とすることが好ましい。
【００１４】
あるいは、上記上着用陳列台紙において、背面台の下部に長尺な上着押さえ片を突設する一方、背面台の両側辺の近傍に上着押さえ片を挿入する係止用スリットを設け、
上記上着押さえ片を表面台に被せた上着の表面側を押さえるように折り返した後に左右両端を背面台側へと折り曲げて上記係止用スリットに挿入する構成としてもよい。
【００１５】
上記係止片により上着の折畳部のずり下がりを防止できるため、ずり下がり防止のために上記上着押さえ片を設ける必要はない。しかしながら、表面台と背面台の下部を上着押さえ片で連結しておくと、台紙の下部が開かず陳列状態で外観が優れたものとなり、かつ、全体として厚みを少なくできるので、多く陳列することができる。
さらに、上着押さえ片に商品の名称や製造元等の所要事項やデザイン的なものを印刷することもできるため、外観にバリエーションを持たせることも可能となる。
【００１６】
上記背面台に設ける上記係止片は、上記折り目線の上端位置から突設し、かつ、左右いずれか一片から突出させた長さ或いは左右両辺から突設させた長さの合計が、背面台の幅と相当し、背面台を横断するように設けるのが好ましい。
【００１７】
上記係止片の長さを背面台の幅よりも短くしても、折畳部の折返ラインを係止できればすり下りを防止できるが、背面台の幅と同程度にすると、折畳部が左右方向にずれても係止片より外れることはなく、そのため、折畳部のずり下がりを確実に防止できる。
上記係止片は裏面台の左右いずれか一片から或いは左右両辺から突出させて設ける以外に、背面台に切り込みを入れ、この切り込み部分を折り曲げて係止片としてもよい。この場合、シート材の外形は長方形となり、シート材の材料取りに無駄が発生せず、材料コストの低減を図ることができる。
【００１８】
上記係止片は下辺が上辺へと傾斜する略三角形状とするのが好ましいが、半円形状、楕円形状、長方形状等としてもよい。
また、係止片には、その背面台からの折り返し基部に、上着の厚さに応じて折り曲げ位置を変えるための複数の折り目線を設けることが好ましい。これにより、上着が厚さにより台紙を変える必要がなくなり、厚さが変わっても共用することができる。
【００１９】
同様に、背面台の左右いずれか一方から突出させる上着押さえ片或いは背面台の下端から突出させる上着押さえ片も折り目線の部分に複数の折り目線を設けておくと、上着の厚さに応じて折り目線を変えることにより、上着の厚さが変わっても共用することができる。
【００２０】
上記シート材は厚紙あるいは薄肉の樹脂板からなるものが用いられる。
厚紙の場合には使い捨てとなるが、樹脂板の場合には繰り返し用いることができる。
【００２１】
また、上記上着用陳列台紙に上着を装着した状態で透明袋にいれても良い。透明袋に入れて陳列すると汚れ発生を防止できる。
上記透明袋に入れずに、台紙に装着しただけで吊り下げて陳列しても上着はずり落ちないため、ユーザーは陳列されている上着に直接触って肌ざわりを知ることができる。
【００２２】
上記上着用陳列台紙に装着させる上着は、薄手のものが好ましいが、上着用陳列台紙に装着できるものであれば、半袖シャツ、長袖シャツ、女性用肌着等のいずれにも適用できる。
【００２３】
【発明の実施の形態】
以下、本発明の実施形態を図面を参照して説明する。
図１は本発明の第１実施形態に係る上着用陳列台紙１０を示す。
上着用陳列台紙１０は、厚紙のシート材１１を展開形状で切断し、折り曲げて形成している。この上着用陳列台紙１０は、表面台を上着上部に挿入するタイプである。
【００２４】
上記シート材１１は長方形の本体部１１ｃを横断する折り目線１２を設け、本体部１１ｃを折り目線１２で２分割される表面台１１ａ、背面台１１ｂとしている。表面台１１ａの折り目線１２の左右両端部に切込部１３を設け、折り目線１２の中央に、吊り下げ用の別体のフック材３０を取り付るための取付用スリット１４を設けている。また、上記左右の切込部１３の内端より表面台１１ａ側に中央へ傾斜させた差込部１８を設けている。
【００２５】
上記表面台１１ａと背面台１１ｂの長さＬ（陳列時には高さ）は等しくしている。この長さＬは図２に示す上着２０の丈Ｌ’の１／２以下で、表面台１１ａに上着２０の上部２０ｄの丈と同等である。よって、上着２０の上部２０ｄを表面台１１ａに被せた状態で下部２０ｂを折り返した後、更に、その下端部２０ｃを折り返して表面台１１ａと背面台１１ｂの間に挟み込むようにしている。
また、幅Ｗは上着２０の幅Ｗ’の約２／３以下で、上着２０の両側を折り返すようにしている。
【００２６】
上記背面台１１ｂの左右両側辺には上端より左右一対の係止片１５を突設させている。該係止片１５は略三角形状で折り目線１２の上端位置の近傍から延在する上縁１５ａを水平とし、その先端から背面台１１ｂの左右両側辺に向けた傾斜縁１５ｂを円弧状としている。これら左右の係止片１５を背面台１１ｂ側に折り曲げた状態で、上縁１５ａの先端が当接して背面台１１ｂを左右の係止片１５が横断する寸法としている。
【００２７】
さらに、係止片１５と背面台両側縁に連続する係止片１５の折り返し基部には縦方向の折り目線１５ｃを間隔をあけて複数本設けている。
この折り目線１５ｃは上着の厚さに応じて折り曲げ位置を変えるもので、本実施形態では、６本の折り目線を設けて各折り目線の間隔を４ｍｍ程度とし、７段階の厚みの調節を可能としている。
【００２８】
また、背面台１１ｂの下部の右側辺より折り曲げられる長尺な上着押さえ片１６を突設している。該上着抑え片１６の長さは背面台１１ｂの幅以上とし、かつ、基部の近傍に１本の縦方向の折り目線１６ａを入れると共に、先端側近傍には間隔をあけて２本の折り目線１６ｂを入れ、上着の厚さに対応した厚みを持たせて折り返せるようにしている。さらに、先端には幅広とした差込部１６ｃを設けている。
本実施形態では、上着押さえ片１６の長さを２７ｃｍ、幅を４．５ｃｍ、折り曲げ線の厚みを１ｃｍ程度としている。
【００２９】
背面台１１ｂの左側辺の近傍には、上着押さえ片１６の差込部１６ｃを挿入する係止用スリット１７を設けている。該係止用スリット１７の長さは上記差込部１６ｃより狭くして差し込み後は抜けないようにしている。
【００３０】
本実施形態では、シート材１１の幅Ｗを２０ｃｍ、表面台１１ａと背面台１１ｂの長さＬをそれぞれ２７ｃｍ、左右両端部から約２ｃｍの位置から４５度の方向に切込部１３を３ｃｍ、取付用スリット１４の幅と長さをそれぞれ１．２ｃｍと０．４ｃｍ、係止片１５の上端縁を約１０ｃｍとしている。
【００３１】
また、上着押さえ片１６、背面台１１ｂの全体に、上着の名称、サイズ、製造元、特徴等所要事項を印刷し、かつ、表面台１１ａにも上着２０で隠れない部分に所要事項を印刷させた別体のシール材を貼り付けている。また、差込部１８には、商品名、製造元、値段等が記載された別体の札を別体の樹脂製の紐に通し付帯させている。
【００３２】
上着用陳列台紙１０に図２に示す半袖のＴシャツタイプの上着２０を図３（Ａ）（Ｂ）に示すように装着している。以下に装着手順を以下に説明する。
【００３３】
まず、別体のフック材３０を取付用スリット１４に通して一体化する。表面台１１ａと背面台１１ｂとを展開形状に開いて作業者側に内面を向けた状態とし、図４に示すように、表面台１１ａを下方に背面台１１ｂを上方に位置させる。
この状態で、表面台１１ａに上着２０の上部２０ｄに挿入して被せる。この状態で、左右肩部２０ａを切込部１３に挿入して保持させると共に、差込部１８にラベル２０ｅの両端に当たる位置まで差し込んで、肩部２０ａの脱落を完全に防止している。
【００３４】
ついで、表面台１１ａの下端より垂下する上着の下部２０ｂを裏面側で上着２０の身頃部と袖部を表面台１１ａおよび背面台１１ｂの幅に折り畳む。この状態で上端側へと上向きに折り返し、図４（Ａ）に示す状態とする。この時、折り畳んだ下部２０ｂは表面台１１ａより背面台１１ｂへと延在し、下部２０ｂの下端部２０ｃが折り目線１２を越えて背面台１１ｂ側に位置する。
【００３５】
ついで、図４（Ｂ）に示すように、左右の係止片１５を折り返して上着の下端部２０ｃ上に位置させる。この状態で、折り目線１２を起点として背面台１１ｂを矢印で示すように、表面台１１ａ側へ折り返して図４（Ｃ）に示す状態とする。この状態で、下向きに折り畳んだ下端部２０ｃの折り返し位置は上記係止片１５の上縁に係止した状態となると共に、下部２０ｂ（下端部２０ｃ）は表面台１１ａと背面台１１ｂとの間に挟まれる。
【００３６】
最後に、背面台１１ｂより突出する上着押さえ片１６を折り曲げて表面台１１ａに被せた上着２０の上部２０ｄを押さえるように左側端まで架け渡した後、先端を折り曲げて差し込み部１６ｃを背面台１１ｂに設けられた係止用スリット１７に挿入係止する。
【００３７】
上着２０を上着用陳列台紙１０に装着して、ショップにおいて陳列させる場合、フック材３０をハンガースタンド（図示せず）の上端に引っかけて吊り下げ陳列する。あるいは平陳列台に立て置きして陳列する。
この陳列状態で、上着用吊下台紙１０に装着した上着２０は、その下向きに折り返す下端部２０ｃを係止片１５の上端で係止しているため、上着２０の折畳部のずり下がりを防止でき、従来のように包装袋に封入せずに陳列することができる。なお、透明包装袋に封入して陳列しても良いことは言うまでもない。
【００３８】
図５は、第２実施形態の第１変形例に係る上着用陳列台紙１０ー１を示す。
この上着用陳列台紙１０ー１は図５（Ａ）に示すように、第１実施形態とは上着押さえ片１６及び係止用スリット１７を設けていない点、および、肩部保持用の切込部１３’をスリットではなく凹部としている点を相違させ、他の構成は同一であるため、同一符号を付す。
上記上着用陳列台紙１０ー１に上着２０を装着させると、図５（Ｂ）に示す状態となる。即ち、表面台１１ａと背面台１１ｂの間で下向きに折り畳まれる部分は係止片１５に係止しているため、上着押さえ片を設けなくともずり下がりを防止することができる。
【００３９】
図６は、第１実施形態の第２変形例に係る上着用陳列台紙１０ー２を示す。
この上着用陳列台紙１０ー２は背面台１１ｂ’の長さを短くし、かつ、上着押さえ片を設けていない。即ち、背面台１１ｂ’に係止片１５を設けておれば下向き折り畳み部のずり下がりを防止できるため、背面台１１ｂ’を表面台１１ａ”と同一長さまで延長させる必要がない。
【００４０】
図７は、第１実施形態の第３変形例に係る上着用陳列台紙１０ー３を示す。
この上着用陳列台紙１０ー３は、背面台１１ｂの下端縁の全面より折り目線１９Ａを介して上着押さえ片１６’を設けている。該上着押さえ片１６’は更に左右の突出部１６ｂ’、１６ｃ’を折り目線１９Ｂを介して突設している。この突出部１６ｂ’、１６ｃ’の左右方向への突出量は係止片１５の左右突出量以下とし、シート材の材料取り時に無駄の発生を極力抑えている。
表面台１１ａ側には、上記突出部１６ｂ’、１６ｃ’の先端係止部が挿入される左右一対の係止用スリット１７’を設けている。
【００４１】
上記背面台１１ｂの下端に設けた上着押さえ片１６’は、表面台１１ａに被せた上着２０の下部を押さえるように背面台１１ｂ側から表面台１１ａへと折り返され、その左右突出部１６ｂ’、１６ｃ’を更に背面台１１ｂ側へと折り返して係止用スリット１７’”に挿入係止している。
【００４２】
図８は、第１実施形態の第４変形例の上着用陳列台紙１０−４を示す。
上着用陳列台紙１０−４では、係止片１５’を上着押さえ片１６の突出方向と同じ左端からのみ突出させ、その長さを背面台１１ｂの幅と略同等としている。
他の構成は第１実施形態と同様であるため、説明を省略する。
【００４３】
図９は、本発明の第２実施形態に係る上着用陳列台紙５０を示す。
上着用陳列台紙５０は、図９（Ａ）に示すように、長方形のシート材５１のみからなり、係止片５５は、図９（Ａ）に示すように背面台５１ｂを切り抜いて設ける。即ち、背面台５１ｂの左右両側辺に近接した位置から中央部付近まででかつ折り目線５２の直下に折り目線５２と平行である略三角形状の上辺５５ａと上辺へと傾斜する下辺５５ｂに相当する２辺に切り込みを入れている。
図９（Ｂ）に示すように、切り込みを入れなかった直辺５５ｃで外側に折り曲げた後、図９（Ｃ）に示すように、直辺５５ｃからの折り返し基部には上着の厚みに応じて折り目線を設け、該折り目線で内側に折ることにより係止片５５を突設することができる。
【００４４】
上記第２実施形態の形状とすると、シート材５１は長方形であるため、材料取りが良くなり、材料費の削減を図ることができる。
【００４５】
図１０は、本発明の第３実施形態に係る上着用陳列台紙６０を示す。
上着用陳列台紙６０は、表面台を上着の中に挿入せず、表面台の外面にワイシャツ等の上着の上部を載せて、該上着の下部を表面台と背面台の間の折り返して収容するタイプである。
【００４６】
図１０（Ａ）に示すように、表面台６１ａと背面台６１ｂとに分ける折り目線６３を幅方向の全長に設け、第１、第２実施形態の肩保持用のスリットは設けていない。一方、背面台６１ｂには折り目線６３の近傍の中央部に切込を設けて折り返される引掛部６４を設けている。引掛部６４はＴ形状とし、先端に係止部６４ａを設けている。かつ、 引掛部６４の基部には丸穴６４ｂを設けて、ハンガースタンドの吊り下げ棒を挿入して、吊り下げることができるようにしている。
他の構成は第１実施形態と同様で、ずり下がり防止用の左右一対の係止片６５を背面台６１ｂの左右両縁より突出させると共に、背面台６１ｂの下部左縁より上着押さえ片６６を突設すると共に係止用スリット６７を設けている。
【００４７】
ワイシャツ等の衿付き上着を装着する際、表面台６１ａの外面上に上着２０を置き、上着の上部２０ａの身頃両側を折り畳み、表面台６１ａの下端より垂下する上着２０の下部２０ｂを背面台６１ｂの間に折り返す。折り返された上着２０の下部は表面台６１ａより背面台６１ｂへと上向きに延在し、背面台６１ｂ側まで延在した上着２０の下端２０ｃを背面台６１ｂと共に下向きに折り返して、係止片６５の上縁に係止する。
ついで、図１０（Ｂ）に示すように、表面台６１ａの外面に載せた上着２０の衿２０ｆを背面台６１ｂの上端側へ引っ張っると共に、背面台６１ｂの引掛片６４を上向きに折り返して、衿２０ｆの裏面側へ差し込んで、上着２０の上部が表面台６１ａからずり下がらないように保持する。
また、上着押さえ片６６を折り曲げて係止用スリット６７に挿入する。
【００４８】
上記のように表面台６１ａを上着上部２０ａに挿入せず、上着上部を表面台６１ａの外面上に載せて装着するタイプとすると、台紙への上着の装着作業を機械化することができ、装着作業性を高めることができる。
【００４９】
上着に衿がないＴシャツタイプのものである場合には、図１１に示すように、引掛片６４を正面台側まで折り曲げて、商品表示布のラベル２０ｅに通して、引掛片６４の先端係止部６４ａで引っ掛けている。
この第３実施形態の陳列台紙を用いると、ショップにおいて平台に立て置きしてもよいし、引掛片６４の丸穴６４ｂにハンガースタンドの吊り下げ棒を通して吊り下げ陳列することもできる。
【００５０】
【発明の効果】
以上の説明により明らかなように、本発明の上着用陳列台紙によれば、シート材に内側へ折り返される係止片を突設することにより、該上着用陳列台紙に上着を装着させる時、上着の下向き折り返し位置を係止片の上端で係止することができるので、上着の折り畳んだ下部がずれたりずれ落ちたりして生じる乱れを防止することができる。
よって、上記上着用陳列台紙を用いると、上着の折り畳んだ下部が垂下しないため、外観においても優れたものとなると共に、乱れが生じる度に畳み直していた手間を省くことが可能となる。
【００５１】
さらに、表面台を上着の中に挿入するタイプと、表面台上に上着を載せるタイプの両方に適用することができる。
【図面の簡単な説明】
【図１】  本発明の第１実施形態の上着用陳列台紙の展開図である。
【図２】  上着の正面図である。
【図３】  （Ａ）は上着用陳列台紙に上着を装着した時の正面図、（Ｂ）は側面図である。
【図４】  （Ａ）乃至（Ｃ）は上着陳列台紙に上着を装着する手順を示す図面である。
【図５】  第１実施形態の第１変形例を示し、（Ａ）は展開図、（Ｂ）は上着を装着させた時の正面図である。
【図６】  第１実施形態の第２変形例を示す展開図である。
【図７】  第１実施形態の第３変形例を示し、（Ａ）は展開図、（Ｂ）は組み立てた時の正面図、（Ｃ）は組み立てた時の背面図である。
【図８】  第１実施形態の第４変形例を示す展開図である。
【図９】  第２実施形態の上着用陳列台紙を示し、（Ａ）は台紙の展開図、（Ｂ）は係止片を設ける過程の展開図、（Ｃ）は係止片を設けた展開図である。
【図１０】  （Ａ）は第３実施形態の上着用陳列台紙の展開図、（Ｂ）はワイシャツからなる上着を台紙に装着した時の要部拡大断面図である。
【図１１】  第３実施形態の上着用陳列台紙にＴシャツからなる上着を装着した状態の正面図である。
【図１２】  従来の上着用陳列台紙を示し、（Ａ）は展開図、（Ｂ）は正面図である。
【図１３】  他の従来例を示す図面である。
【符号の説明】
１０  上着陳列台紙
１１  シート材
１１ａ  表面台
１１ｂ  背面台
１１ｃ  本体部
１２  折り目線
１３  切込部
１４  取付用スリット
１５  係止片
１６  上着押さえ片
１７  係止用スリット
２０  上着
３０  フック材
【図１】
0003935683.tif 000002
【図２】
0003935683.tif 000003
【図３】
0003935683.tif 000004
【図４】
0003935683.tif 000005
【図５】
0003935683.tif 000006
【図６】
0003935683.tif 000007
【図７】
0003935683.tif 000008
【図８】
0003935683.tif 000009
【図９】
0003935683.tif 000010
【図１０】
0003935683.tif 000011
【図１１】
0003935683.tif 000012
【図１２】
0003935683.tif 000013
【図１３】
0003935683.tif 000014